【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】  コンピュータ・ネットワークで少なくとも一人のユーザによって物理的装置、機器、及びプロセスの協調的な、遠隔操作を提供するためのシステムであって、
データによって記述される少なくとも一つの物理プロセスを実行するための装置と、
上記物理プロセスを制御し且つ上記データを上記装置から収集する機能を有するラボ・サーバと、
少なくとも一つのクライアント・プロセスとを備え、
該クライアント・プロセスがユーザ及び上記ラボ・サーバと通信し、該クライアント・プロセスが上記物理プロセスを制御するために命令を上記ラボ・サーバに発行し、該クライアント・プロセスが上記物理プロセスを記述する上記データを受け取り且つ該データをリアルタイムで該ユーザにリレーし、
接続サーバを更に備え、該接続サーバが該ラボ・サーバ及び該クライアント・プロセスと通信し、該接続サーバがコンピュータ・ネットワークで上記ユーザと上記ラボ・サーバ及びクライアント・プロセスとの間でデータ及び命令を送る、上記システム。
【請求項２】  上記物理プロセスは、ユーザによって観察することができる、請求項１に記載のシステム。
【請求項３】  上記データは、ダイナミックである、請求項１に記載のシステム。
【請求項４】  上記ダイナミックデータは、ライブ画像の形式である、請求項３に記載のシステム。
【請求項５】  上記ダイナミックデータは、テーブルの形式である、請求項３に記載のシステム。
【請求項６】  上記ダイナミックデータは、グラフィック画像の形式である、請求項３に記載のシステム。
【請求項７】  上記ダイナミックデータは、ＬＥＤディスプレイの形式である、請求項３に記載のシステム。
【請求項８】  多数のユーザが協調的な方法で物理プロセスを制御する、請求項１に記載のシステム。
【請求項９】  上記データは、上記物理プロセスに関するイベントの発生により、ユーザに伝送される、請求項１に記載のシステム。
【請求項１０】  上記データは、ユーザの要求に応じてユーザに伝送される、請求項１に記載のシステム。
【請求項１１】  上記接続サーバは、上記少なくとも一つのクライアント・プロセスと上記ラボ・サーバとの間で完全二重二地点間データ伝送を支持する、請求項１に記載のシステム。
【請求項１２】  上記接続サーバは、上記少なくとも一つのクライアント・プロセスと上記ラボ・サーバとの間で完全二重一対多点間データ伝送を支持する、請求項１に記載のシステム。
【請求項１３】  上記ラボ・サーバは、上記接続サーバとは別のコンピュータに配置される、請求項１に記載のシステム。
【請求項１４】  多数の物理プロセスを管理する多数のラボ・サーバを更に含む、請求項１に記載のシステム。
【請求項１５】  上記ラボ・サーバは、マルチスレッド・ソフトウェアとして実現される、請求項１に記載のシステム。
【請求項１６】  データベース及びデータベース・サーバを更に含み、該データベースが上記物理プロセスを記述するデータを含み、該データベース・サーバが上記ラボ・サーバ及び上記接続サーバと通信し、該データベース・サーバが該データベースに含まれた該データを管理する、請求項１に記載のシステム。
【請求項１７】  上記データベースは、ユーザ識別に関する情報を含む、請求項１６に記載のシステム。
【請求項１８】  上記データベースは、上記物理プロセスを記述する上記データを含む、請求項１６に記載のシステム。
【請求項１９】  カメラを更に含み、該カメラが上記物理プロセスの近くに配置され、該カメラが上記接続サーバと通信し、該カメラが上記物理プロセスの画像を上記接続サーバを介して上記ユーザに伝送する、請求項１に記載のシステム。
【請求項２０】  上記カメラは、ビデオカメラを含み、上記システムがビデオ・サーバを更に含み、該ビデオ・サーバが該カメラ及び上記接続サーバと通信し、該ビデオ・サーバが該物理プロセスのライブ画像を獲得し、該ビデオ・サーバがビデオ・キャプチャ・ハードウェアを含む、請求項１９に記載のシステム。
【請求項２１】  上記ラボ・サーバ、上記接続サーバ、及び上記クライアント・プロセスとの間の通信は、データ・パケットを含み、該データ・パケットが上記パケットのサイズを記述する情報、宛先識別子、ソース識別子、及び該ラボ・サーバについての命令を含む、請求項１に記載のシステム。
【請求項２２】  上記データ・パケットは、上記命令を定義するパラメータ情報を更に含む、請求項２１に記載のシステム。
【請求項２３】  上記データ・パケットは、圧縮ビデオ・データを含む、請求項２１に記載のシステム。
【請求項２４】  上記ビデオ・データは、離散余弦変換が実行される画像データを含む、請求項２３に記載のシステム。
【請求項２５】  上記ビデオ・データは、理想的な離散余弦変換データが控除される画像データを含む、請求項２１に記載のシステム。
【請求項２６】  上記クライアント・プロセスは、ユーザ・インターフェイスを含む、請求項１に記載のシステム。
【請求項２７】  上記ユーザ・インターフェイスは、グラフィック画像を含み、該グラフィック画像が上記物理プロセスについての制御を表し、該グラフィック画像が上記ユーザによる操作をすることができ、該クライアント・プロセスが該操作に応じて命令を該ラボ・サーバに発行し、該命令が該物理プロセスを制御するために該ラボ・サーバによって用いられる、請求項２６に記載のシステム。
【請求項２８】  上記ユーザ・インターフェイスは、上記物理プロセスを記述する上記データを上記ユーザにグラフィック形式で表示する、請求項２６に記載のシステム。
【請求項２９】  コンピュータ・ネットワークで少なくとも一つの遠隔のユーザによって物理的装置、機器及びプロセスの対話式遠隔操作を提供する方法であって、
ラボ・サーバが物理プロセスを制御し且つ該物理プロセスを記述するデータを収集し、
接続サーバが上記ラボ・サーバからのデータをリアルタイムで少なくとも一つのクライアント・プロセスに分配し、該クライアント・プロセスが上記遠隔ユーザを表し、
上記接続サーバが上記クライアント・プロセスからのコマンドを受け入れ、該コマンドが上記物理プロセスの制御を指示し、
上記ラボ・サーバが上記受け入れたコマンドを実行し、
上記接続サーバがデータを上記クライアント・プロセスに送り上記コマンドが実行されたことを示す、段階を含む、上記方法。
【請求項３０】  上記データは、データ・ネットワーク・プロトコルによりパケットにエンコード（符号化）される、請求項２９に記載の方法。
【請求項３１】  上記データは、上記物理プロセスに関するイベントの発生によりユーザに伝送される、請求項２９に記載の方法。
【請求項３２】  上記データは、ユーザ要求に応じてユーザに伝送される、請求項２９に記載の方法。
【請求項３３】  上記物理プロセスを制御するコマンドを協調的に発行する多数のクライアント・プロセスにデータを送る段階を含む、請求項２９に記載の方法。
【請求項３４】  上記データを送る段階は、圧縮ビデオ・データを送ることを含む、請求項２９に記載の方法。
【請求項３５】  上記ラボ・サーバが上記データにコンピュータ分析を実行する段階を更に含む、請求項２９に記載の方法。
【請求項３６】  上記データをデータベースに記憶する段階を更に含む、請求項２９に記載の方法。
【請求項３７】  上記パケットは、一つのクライアントから上記ラボ・サーバに上記接続サーバによって送られる、請求項２９に記載の方法。
【請求項３８】  上記パケットは、上記ラボ・サーバから一つのクライアントに上記接続サーバによって送られる、請求項２９に記載の方法。
【請求項３９】  上記パケットは、第１のクライアントから第２のクライアントに上記接続サーバによって送られる、請求項２９に記載の方法。
【請求項４０】  上記パケットは、第１のクライアントから上記多数のクライアントに上記接続サーバによって送られる、請求項２９に記載の方法。
【請求項４１】  上記パケットは、第１のクライアントから上記ラボ・サーバ及び上記多数のクライアントに上記接続サーバによって送られる、請求項２９に記載の方法。